【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
第１の温度検出部と、
前記第１の温度検出部よりも検出感度が高い第２の温度検出部と、
電源電圧が供給され、所与のタイミングで前記第２の温度検出部の検出信号から前記第１の温度検出部の検出信号に切り替えて出力する選択部と、を含む、温度情報生成回路。
【請求項２】
請求項１において、
前記選択部は、
前記電源電圧が供給され、所定時間が経過するまでは前記第２の温度検出部の検出信号を出力し、前記所定時間の経過後は前記第１の温度検出部の検出信号を出力する、温度情報生成回路。
【請求項３】
請求項１において、
前記選択部は、
前記電源電圧が供給され、前記第２の温度検出部の検出信号の変化量が所定時間継続して所定の範囲内になるまで前記第２の温度検出部の検出信号を出力し、前記第２の温度検出部の検出信号の変化量が所定時間継続して所定の範囲内になった後に前記第１の温度検出部の検出信号を出力する、温度情報生成回路。
【請求項４】
請求項１において、
前記選択部は、
前記電源電圧が供給され、前記第１の温度検出部の検出信号と前記第２の温度検出部の検出信号との差の変化量が所定時間継続して所定の範囲内になるまで前記第２の温度検出部の検出信号を出力し、前記第１の温度検出部の検出信号と前記第２の温度検出部の検出信号との差の変化量が所定時間継続して所定の範囲内になった後に前記第１の温度検出部の検出信号を出力する、温度情報生成回路。
【請求項５】
請求項１乃至４のいずれか一項において、
検出可能な温度範囲が互いに異なる複数の前記第２の温度検出部を含む、温度情報生成回路。
【請求項６】
請求項５において、
前記選択部は、
前記電源電圧が供給され、前記第１の温度検出部の検出信号を出力するまでの間、前記第１の温度検出部の検出信号に応じて、前記複数の第２の温度検出部の検出信号から１つの検出信号を選択して出力する、温度情報生成回路。
【請求項７】
請求項１乃至６のいずれか一項に記載の温度情報生成回路と、
発振素子と、を含む、発振器。
【請求項８】
請求項１乃至７のいずれか一項に記載の温度情報生成回路を含む、電子機器。
【請求項９】
電子部品と、
制御装置と、を含み、
前記電子部品は、
第１の温度検出部と、
前記第１の温度検出部よりも検出感度が高い第２の温度検出部と、を含み、
前記制御装置は、
前記電子部品に電源電圧が供給されてから所与のタイミングまで、前記第２の温度検出部の検出信号に基づいて前記電子部品の温度補償を行い、
前記所与のタイミングの後、前記第１の温度検出部の検出信号に基づいて前記電子部品の温度補償を行う、温度補償システム。
【請求項１０】
電子部品の温度補償方法であって、
制御装置が、
前記電子部品に電源電圧が供給されてから所与のタイミングまで、前記電子部品に含まれる第１の温度検出部よりも検出感度が高い第２の温度検出部の検出信号に基づいて前記電子部品の温度補償を行うステップと、
前記所与のタイミングの後、前記発振器に含まれる前記第１の温度検出部の検出信号に基づいて前記電子部品の温度補償を行うステップと、を行う、電子部品の温度補償方法。
【手続補正２】
【補正対象書類名】明細書
【補正対象項目名】００１１
【補正方法】変更
【補正の内容】
【００１１】
［態様１］
本態様に係る温度情報生成回路は、第１の温度検出部と、前記第１の温度検出部よりも検出感度が高い第２の温度検出部と、電源電圧が供給され、所与のタイミングで前記第２の温度検出部の検出信号から前記第１の温度検出部の検出信号に切り替えて出力する選択部と、を含む。
本態様に係る温度情報生成回路によれば、電源電圧が供給されると検出感度が高い第２の温度検出部の検出信号が出力されるので、この検出信号をモニターすることで、当該温度情報生成回路を含む電子部品の発熱によるわずかな温度変化を正確に捉えることができる。従って、本態様に係る温度情報生成回路を用いることで、起動直後から電子部品の正確な温度補償を行うことができる。
また、本態様に係る温度情報生成回路によれば、電源電圧が供給された後の所与のタイミング以降は、第２の温度検出部よりも検出感度が低い第１の温度検出部の検出信号が出力されるようになるので、この検出信号をモニターすることでより広い温度範囲で温度情報を得ることができる。
［態様２］
上記態様に係る温度情報生成回路において、前記選択部は、前記電源電圧が供給され、所定時間が経過するまでは前記第２の温度検出部の検出信号を出力し、前記所定時間の経過後は前記第１の温度検出部の検出信号を出力するようにしてもよい。
本態様に係る温度情報生成回路によれば、所定時間を適切に設定することで、電源電圧が供給されてから発熱により温度が過渡的に変化する期間は検出感度の高い第２の温度検出部の検出信号が出力されるようにすることができるので、この検出信号をモニターすることで、当該温度情報生成回路を含む電子部品の発熱によるわずかな温度変化を正確に捉えることができる。
［態様３］
上記態様に係る温度情報生成回路において、前記選択部は、前記電源電圧が供給され、前記第２の温度検出部の検出信号の変化量が所定時間継続して所定の範囲内になるまで前記第２の温度検出部の検出信号を出力し、前記第２の温度検出部の検出信号の変化量が所定時間継続して所定の範囲内になった後に前記第１の温度検出部の検出信号を出力するようにしてもよい。
電源電圧が供給された後、発熱により温度が過渡的に変化するため、第２の温度検出部の検出信号が変化するが、この変化量が所定範囲内（ほぼ０）になれば温度が安定したと判断することができる。従って、本態様に係る温度情報生成回路によれば、所定時間を適切に設定することで、電源電圧が供給されてから発熱により温度が過渡的に変化する期間は検出感度の高い第２の温度検出部の検出信号が出力されるようにすることができるので、この検出信号をモニターすることで、当該温度情報生成回路を含む電子部品の発熱によるわずかな温度変化を正確に捉えることができる。
［態様４］
上記態様に係る温度情報生成回路において、前記選択部は、前記電源電圧が供給され、前記第１の温度検出部の検出信号と前記第２の温度検出部の検出信号との差の変化量が所定時間継続して所定の範囲内になるまで前記第２の温度検出部の検出信号を出力し、前記第１の温度検出部の検出信号と前記第２の温度検出部の検出信号との差の変化量が所定時間継続して所定の範囲内になった後に前記第１の温度検出部の検出信号を出力するようにしてもよい。
電源電圧が供給された後、発熱により温度が過渡的に変化するため、第１の温度検出部の検出信号と前記第２の温度検出部の検出信号との差が変化するが、この変化量が所定範囲内（ほぼ一定）になれば温度が安定したと判断することができる。従って、本態様に係る温度情報生成回路によれば、所定時間を適切に設定することで、電源電圧が供給されてから発熱により温度が過渡的に変化する期間は検出感度の高い第２の温度検出部の検出信号が出力されるようにすることができるので、この検出信号をモニターすることで、当該温度情報生成回路を含む電子部品の発熱によるわずかな温度変化を正確に捉えることができる。
［態様５］
上記態様に係る温度情報生成回路は、検出可能な温度範囲が互いに異なる複数の前記第２の温度検出部を含むようにしてもよい。
本態様に係る温度情報生成回路によれば、検出温度範囲が互いに異なる複数の第２の温度検出部を用いることで、第１の温度検出部の検出温度範囲をカバーすることができる。
［態様６］
上記態様に係る温度情報生成回路において、前記選択部は、前記電源電圧が供給され、前記第１の温度検出部の検出信号を出力するまでの間、前記第１の温度検出部の検出信号に応じて、前記複数の第２の温度検出部の検出信号から１つの検出信号を選択して出力するようにしてもよい。
本態様に係る温度情報生成回路によれば、第１の温度検出部の検出信号によって温度がわかるので、当該温度を検出温度範囲に含む第２の温度検出部の検出信号を選択することで、当該温度情報生成回路を含む電子部品の起動時の温度によらず、起動直後から正確な
温度補償を行うことができる。
［態様７］
本態様に係る発振器は、上記のいずれかの態様に係る温度情報生成回路と、発振素子と、を含む。
本態様に係る発振器によれば、起動後、発振素子の温度が温度情報生成回路の温度と一致して安定するまで、温度情報生成回路が検出感度の高い第２の温度検出部の検出信号が出力するので、この検出信号をモニターすることで、起動直後から電子部品の正確な温度補償を行うことができる。
また、本態様に係る発振器によれば、発振素子の温度が温度情報生成回路の温度と一致して安定した後は、温度情報生成回路が第２の温度検出部よりも検出感度の低い第１の温度検出部の検出信号が出力するようになるので、この検出信号をモニターすることで広範囲にわたる周囲温度の変化に対しても温度補償を行うことができる。
［態様８］
本態様に係る電子機器は、上記のいずれかの態様に係る温度情報生成回路を含む。
［態様９］
本態様に係る温度補償システムは、電子部品と、制御装置と、を含み、前記電子部品は、第１の温度検出部と、前記第１の温度検出部よりも検出感度が高い第２の温度検出部と、を含み、前記制御装置は、前記電子部品に電源電圧が供給されてから所与のタイミングまで、前記第２の温度検出部の検出信号に基づいて前記電子部品の温度補償を行い、前記所与のタイミングの後、前記第１の温度検出部の検出信号に基づいて前記電子部品の温度補償を行う。
本態様に係る温度補償システムによれば、制御装置は、電子部品の起動後所与のタイミングまでは、検出感度の高い第２の温度検出部の検出信号により電子部品の発熱によるわずかな温度変化を正確に捉え、起動直後から電子部品の正確な温度補償を行うことができる。
また、本態様に係る温度補償システムによれば、制御装置は、電子部品の起動後所与のタイミング以降は、第１の温度検出部の検出信号を用いて広範囲にわたる周囲温度の変化に対しても電子部品の温度補償を行うことができる。
［態様１０］
本態様に係る電子部品の温度補償方法は、制御装置が、前記電子部品に電源電圧が供給されてから所与のタイミングまで、前記電子部品に含まれる第１の温度検出部よりも検出感度が高い第２の温度検出部の検出信号に基づいて前記電子部品の温度補償を行うステップと、前記所与のタイミングの後、前記発振器に含まれる前記第１の温度検出部の検出信号に基づいて前記電子部品の温度補償を行うステップと、を行う。
［適用例１］
本適用例に係る温度情報生成回路は、第１の温度検出部と、前記第１の温度検出部よりも検出感度が高い第２の温度検出部と、電源電圧が供給されると前記第２の温度検出部の検出信号を選択し、所与のタイミングで前記第１の温度検出部の検出信号を選択するように切り替える選択部と、を含む。